(57)【要約】【課題】  履物の汚損を防止するのに適した履物用シール、及びそれを備えた履物を提供する。【解決手段】  履物用シール１は、履物に貼付されるシールである。履物用シール１は、履物の側面から底面にかけて貼付される。履物用シール１は、側面貼付部１０及び底面貼付部２０を有している。側面貼付部１０は履物の側面に貼付される部分であり、底面貼付部２０は履物の底面に貼付される部分である。【選択図】  図１
2016049166.tif 000002
【特許請求の範囲】
【請求項１】
履物の側面から底面にかけて貼付される履物用シールであって、
前記履物の前記側面に貼付される部分である第１の部分と、
前記履物の前記底面に貼付される部分である第２の部分と、
を有することを特徴とする履物用シール。
【請求項２】
請求項１に記載の履物用シールにおいて、
防水性を有する履物用シール。
【請求項３】
請求項１又は２に記載の履物用シールにおいて、
前記第１の部分の表面は、光反射性を有する履物用シール。
【請求項４】
請求項１乃至３の何れかに記載の履物用シールにおいて、
前記第１の部分の表面は、蛍光性を有する履物用シール。
【請求項５】
請求項１乃至４の何れかに記載の履物用シールにおいて、
前記第１の部分の表面は、蓄光性を有する履物用シール。
【請求項６】
請求項１乃至５の何れかに記載の履物用シールにおいて、
前記第２の部分の表面は、防滑性を有する履物用シール。
【請求項７】
請求項６に記載の履物用シールにおいて、
前記第２の部分の前記表面は、前記第１の部分の表面よりも高い防滑性を有する履物用シール。
【請求項８】
請求項１乃至７の何れかに記載の履物用シールにおいて、
前記第１の部分の表面は、光反射性、蛍光性又は蓄光性を有し、
前記第２の部分の表面は、防滑性を有する履物用シール。
【請求項９】
請求項１乃至８の何れかに記載の履物用シールにおいて、
当該履物用シールは、前記履物に貼付された後、当該履物から剥離可能である履物用シール。
【請求項１０】
請求項９に記載の履物用シールにおいて、
当該履物用シールは、前記履物から剥離された後、当該履物に再び貼付可能である履物用シール。
【請求項１１】
請求項１乃至１０の何れかに記載の履物用シールにおいて、
前記第１の部分の表面には、図柄が描かれている履物用シール。
【請求項１２】
請求項１１に記載の履物用シールにおいて、
前記図柄は、動物、スイーツ、乗り物、又はキャラクターの図柄である履物用シール。
【請求項１３】
請求項１乃至１２の何れかに記載の履物用シールにおいて、
当該履物用シールは、前記履物の爪先部の前記側面から前記底面にかけて貼付される履物用シール。
【請求項１４】
請求項１３に記載の履物用シールにおいて、
前記第１の部分は、前記爪先部を前方から覆う前方被覆部、及び前記爪先部を側方から覆う側方被覆部を有する履物用シール。
【請求項１５】
請求項１乃至１２の何れかに記載の履物用シールにおいて、
当該履物用シールは、前記履物の踵部の前記側面から前記底面にかけて貼付される履物用シール。
【請求項１６】
請求項１５に記載の履物用シールにおいて、
前記第１の部分は、前記踵部を後方から覆う後方被覆部、及び前記踵部を側方から覆う側方被覆部を有する履物用シール。
【請求項１７】
請求項１乃至１６の何れかに記載の履物用シールにおいて、
別体に設けられた第１及び第２のシール片を備え、
前記第１のシール片は、前記履物の爪先部の前記側面から前記底面にかけて貼付され、
前記第２のシール片は、前記履物の踵部の前記側面から前記底面にかけて貼付される履物用シール。
【請求項１８】
請求項１７に記載の履物用シールにおいて、
前記第１のシール片と前記第２のシール片とを連結することにより、当該第１及び第２のシール片を互いに固定する固定部材を備える履物用シール。
【請求項１９】
請求項１８に記載の履物用シールにおいて、
前記固定部材は、伸縮性を有する履物用シール。
【請求項２０】
請求項１乃至１９の何れかに記載の履物用シールにおいて、
基材部と、
前記基材部の裏面に設けられ、前記履物に対して粘着力を有する粘着部と、を備える履物用シール。
【請求項２１】
請求項２０に記載の履物用シールにおいて、
前記基材部の材料は、前記第１の部分と前記第２の部分とで異なる履物用シール。
【請求項２２】
請求項２０又は２１に記載の履物用シールにおいて、
前記粘着部の材料は、前記第１の部分と前記第２の部分とで異なる履物用シール。
【請求項２３】
請求項１乃至２２の何れかに記載の履物用シールが貼付されていることを特徴とする履物。
【発明の詳細な説明】
【技術分野】
【０００１】
本発明は、履物用シール及びそれを備えた履物に関する。
【背景技術】
【０００２】
従来の履物用シールとしては、例えば特許文献１に記載されたものがある。同文献に記載された履物用シールは、表面が低摩擦性を有しており、エナメル靴の側面の一部分に貼付される。当該部分は、歩行時に左右の靴どうしが擦れ合う部分である。それゆえ、その部分に低摩擦性のシールを貼付することにより、左右の靴どうしが擦れ合う際に生じる摩擦力が低減される。かかる摩擦力は歩行時に両足がもつれる原因になり得るものであるため、それを低減することは、転倒等の事故の防止につながる。
【先行技術文献】
【特許文献】
【０００３】
【特許文献１】特開２０１１−３６５６１号公報
【発明の概要】
【発明が解決しようとする課題】
【０００４】
このように履物の外面にシールを貼付することは、履物が汚れたり損傷したりするのを防止することにも役立つ。しかしながら、特許文献１に記載された履物用シールでは、履物の汚損を充分に防ぐことができない。
【０００５】
本発明は、上記課題に鑑みてなされたものであり、履物の汚損を防止するのに適した履物用シール、及びそれを備えた履物を提供することを目的とする。
【課題を解決するための手段】
【０００６】
本発明による履物用シールは、履物の側面から底面にかけて貼付される履物用シールであって、上記履物の上記側面に貼付される部分である第１の部分と、上記履物の上記底面に貼付される部分である第２の部分と、を有することを特徴とする。
【０００７】
この履物用シールは、履物の側面から底面にかけて貼付される。このため、履物の側面と底面との境界部分が、履物用シールにより覆われる。この境界部分は、履物において特に汚損しやすい部分である。したがって、この履物用シールを貼付することにより、履物の汚損を効果的に防止することができる。
【０００８】
また、本発明による履物は、上記履物用シールが貼付されていることを特徴とする。
【０００９】
この履物においては、上述の履物用シールが貼付されている。すなわち、履物の側面から底面にかけて履物用シールが貼付されている。このため、履物の汚損を効果的に防止することができる。
【発明の効果】
【００１０】
本発明によれば、履物の汚損を防止するのに適した履物用シール、及びそれを備えた履物が実現される。
【図面の簡単な説明】
【００１１】
【図１】本発明による履物用シールの第１実施形態を示す平面図である。
【図２】図１の履物用シールの断面構造を説明するための図である。
【図３】図１の履物用シールの履物への貼付の仕方を説明するための図である。
【図４】図１の履物用シールが貼付された履物を示す斜視図である。
【図５】本発明による履物用シールの第２実施形態を示す平面図である。
【図６】図５の履物用シールの履物への貼付の仕方を説明するための図である。
【図７】図５の履物用シールが貼付された履物を示す斜視図である。
【図８】変形例に係る履物用シールを示す平面図である。
【図９】他の変形例に係る履物用シールを示す平面図である。
【発明を実施するための形態】
【００１２】
以下、図面を参照しつつ、本発明の実施形態について詳細に説明する。なお、図面の説明においては、同一要素には同一符号を付し、重複する説明を省略する。
（第１実施形態）
【００１３】
図１は、本発明による履物用シールの第１実施形態を示す平面図である。履物用シール１は、履物に貼付されるシールである。具体的には、履物用シール１は、履物の側面から底面にかけて貼付される。本実施形態において履物用シール１は、履物の爪先部の側面から底面にかけて貼付される。
【００１４】
履物用シール１は、側面貼付部１０（第１の部分）及び底面貼付部２０（第２の部分）を有している。側面貼付部１０は履物の側面に貼付される部分であり、底面貼付部２０は履物の底面に貼付される部分である。側面貼付部１０と底面貼付部２０とは、互いに連結され、一体に設けられている。
【００１５】
側面貼付部１０は、前方被覆部１２及び側方被覆部１４からなる。前方被覆部１２は履物の爪先部を前方から覆う部分であり、側方被覆部１４は履物の爪先部を側方から覆う部分である。前方被覆部１２は、底面貼付部２０の上端に連結されている。また、側方被覆部１４は、底面貼付部２０の左右両端に連結されている。側面貼付部１０の表面は、光反射性（好ましくは再帰反射性。以下同様。）を有する。詳細には、前方被覆部１２の表面の一部に反射材１６が取り付けられるとともに、側方被覆部１４の表面の一部に反射材１８が取り付けられている。
【００１６】
底面貼付部２０の表面は、防滑性を有する。詳細には、底面貼付部２０の表面の一部に、多数の突起２２を形成することにより滑り止め加工が施されている。これにより、底面貼付部２０の表面は、側面貼付部１０の表面よりも高い防滑性を有する。
【００１７】
図２は、履物用シール１の断面構造を説明するための図である。同図に示すように、履物用シール１は、基材部３２及び粘着部３４を備えている。基材部３２は、シート状をしており、履物用シール１の表面を構成する。基材部３２の材料としては、例えば、紙、不織布、プラスチック、又はゴムを用いることができる。基材部３２の材料は、側面貼付部１０と底面貼付部２０とで同一であってもよいし、異なっていてもよい。
【００１８】
基材部３２の裏面には、粘着部３４が設けられている。粘着部３４は、履物に対して粘着力を有する。履物用シール１は、この粘着部３４の粘着力によって、履物に貼付される。粘着部３４の材料としては、各種の粘着剤を用いることができる。粘着部３４の材料は、側面貼付部１０と底面貼付部２０とで同一であってもよいし、異なっていてもよい。
【００１９】
図３は、履物用シール１の履物への貼付の仕方を説明するための図である。同図に示すように、履物用シール１を履物９０に貼付するときは、履物用シール１を適当な位置で折り曲げることにより、前方被覆部１２及び側方被覆部１４が底面貼付部２０に対して起きた状態とする。そして、底面貼付部２０を爪先部９２の底面９６に貼付するとともに、前方被覆部１２及び側方被覆部１４を爪先部９２の側面９４に貼付する。これにより、図４に示すように、履物用シール１が貼付された履物９０が得られる。
【００２０】
履物用シール１は、このようにして履物９０に貼付された後、履物９０から剥離可能であることが好ましい。ここで、剥離可能とは、履物９０を汚損することなく容易に履物用シール１を剥がせるということである。さらに、履物用シール１は、履物９０から剥離された後、履物９０に再び貼付可能であることが好ましい。このように剥離可能でかつ再貼付可能な履物用シール１は、粘着部３４の粘着力を適度に調整することにより実現することができる。
【００２１】
図１に戻って、履物用シール１は、防水性を有することが好ましい。また、側面貼付部１０の表面には、図柄が描かれていてもよい。かかる図柄としては、例えば、動物、スイーツ（デザート）、乗り物、又は、アニメや漫画等のキャラクターの図柄が挙げられる。
【００２２】
本実施形態の効果を説明する。履物用シール１は、履物９０の側面９４から底面９６にかけて貼付される。このため、側面９４と底面９６との境界部分が、履物用シール１により覆われる。この境界部分は、履物９０において特に汚損しやすい部分である。したがって、履物用シール１を貼付することにより、履物９０の汚損を効果的に防止することができる。
【００２３】
履物用シール１が防水性を有する場合、爪先部９２から履物９０に浸入しようとする雨水等の水分を履物用シール１によって遮断することができる。これにより、履物９０の汚損をより効果的に防止することができる。
【００２４】
側面貼付部１０の表面は、光反射性を有する。これにより、履物用シール１ひいてはそれが貼付された履物９０の視認性を高めることができる。特に自動車の運転者からの視認性が高まることにより、履物用シール１は、交通安全にも寄与することができる。
【００２５】
底面貼付部２０の表面は、防滑性を有する。これにより、履物用シール１が貼付された履物９０は地面に対して滑りにくくなるため、歩行時の安全性を高めることができる。かかる履物用シール１は、雨や雪で滑りやすくなっている道を歩く際に、特に有用である。
【００２６】
履物用シール１が履物９０から剥離可能である場合、履物９０に一旦貼付された後であっても、履物用シール１を剥離することにより、履物用シール１が貼付されていない状態で履物９０を使用することができる。このため、ユーザにとっての利便性を高めることができる。
【００２７】
履物用シール１が履物９０に再貼付可能である場合、履物９０から剥離された後であっても、履物用シール１が貼付された状態で再び履物９０を使用することができる。このため、ユーザにとっての利便性を一層高めることができる。また、履物用シール１を貼り替えることにより、１枚の履物用シール１を複数の靴に対して使用することができるので、経済的である。
【００２８】
側面貼付部１０の表面に図柄が描かれている場合、履物用シール１ひいては履物９０のファッション性を高めることができる。また、履物用シール１を宣伝媒体として用いることにより、履物用シール１及び履物９０の低価格化を図ることも可能である。
【００２９】
特に、動物、スイーツ、乗り物、又はキャラクターの図柄は、子供の関心を強く惹く。このため、これらの図柄が側面貼付部１０の表面に描かれている場合、子供が喜んで履物用シール１を靴に貼付するようになる。それにより、子供の靴の汚損が防止されるとともに、子供の歩行時の安全性を高めることができる。
【００３０】
履物用シール１は、基材部３２及び粘着部３４を備えており、粘着部３４の粘着力によって履物９０に貼付される。これにより、簡易な構成で、履物９０に貼付可能な履物用シール１を実現することができる。
【００３１】
基材部３２の材料が側面貼付部１０と底面貼付部２０とで異なる場合、側面貼付部１０及び底面貼付部２０のそれぞれについて基材部３２の材料の選択の幅が広がる。それゆえ、例えば、側面貼付部１０における基材部３２の材料としては側面貼付部１０特有の機能（光反射性）に適した材料を選択する一方で、底面貼付部２０における基材部３２の材料としては底面貼付部２０特有の機能（防滑性）に適した材料を選択することも可能となる。
【００３２】
粘着部３４の材料が側面貼付部１０と底面貼付部２０とで異なる場合、側面貼付部１０及び底面貼付部２０のそれぞれについて粘着部３４の材料の選択の幅が広がる。それゆえ、例えば、側面貼付部１０における粘着部３４の材料としては履物９０の側面９４との相性が良い粘着剤を用いる一方で、底面貼付部２０における粘着部３４の材料としては履物９０の底面９６との相性が良い粘着剤を用いることも可能となる。
【００３３】
側面貼付部１０は、前方被覆部１２及び側方被覆部１４からなる。これにより、側面貼付部１０が前方被覆部１２又は側方被覆部１４の何れか一方のみからなる場合に比して、履物９０の爪先部９２を広範囲にわたって保護することができる。
（第２実施形態）
【００３４】
図５は、本発明による履物用シールの第２実施形態を示す平面図である。履物用シール２は、シール片２ａ（第１のシール片）及びシール片２ｂ（第２のシール片）を備えている。各シール片２ａ，２ｂは、履物の側面から底面にかけて貼付される。シール片２ａは履物の爪先部に貼付され、シール片２ｂは履物の踵部に貼付される。これらのシール片２ａ，２ｂは、別体に設けられている。
【００３５】
シール片２ａは、側面貼付部４０（第１の部分）及び底面貼付部５０（第２の部分）を有している。側面貼付部４０は履物の側面に貼付される部分であり、底面貼付部５０は履物の底面に貼付される部分である。側面貼付部４０と底面貼付部５０とは、互いに連結され、一体に設けられている。
【００３６】
側面貼付部４０は、前方被覆部４２及び側方被覆部４４からなる。前方被覆部４２は履物の爪先部を前方から覆う部分であり、側方被覆部４４は履物の爪先部を側方から覆う部分である。前方被覆部４２は、底面貼付部５０の上端に連結されている。また、側方被覆部４４は、底面貼付部５０の左右両端に連結されている。側面貼付部４０の表面は、光反射性を有する。詳細には、前方被覆部４２の表面の一部に反射材４６が取り付けられるとともに、側方被覆部４４の表面の一部に反射材４８が取り付けられている。側方被覆部４４の一端部には、穴部４９が形成されている。穴部４９は、後述する固定部材８０のフック８２が係合される部分である。
【００３７】
底面貼付部５０の表面は、防滑性を有する。詳細には、底面貼付部５０の表面の一部に、多数の突起５２を形成することにより滑り止め加工が施されている。これにより、底面貼付部５０の表面は、側面貼付部４０の表面よりも高い防滑性を有する。
【００３８】
シール片２ｂは、側面貼付部６０（第１の部分）及び底面貼付部７０（第２の部分）を有している。側面貼付部６０は履物の側面に貼付される部分であり、底面貼付部７０は履物の底面に貼付される部分である。側面貼付部６０と底面貼付部７０とは、互いに連結され、一体に設けられている。
【００３９】
側面貼付部６０は、後方被覆部６２及び側方被覆部６４からなる。後方被覆部６２は履物の踵部を後方から覆う部分であり、側方被覆部６４は履物の踵部を側方から覆う部分である。後方被覆部６２は、底面貼付部７０の下端に連結されている。また、側方被覆部６４は、底面貼付部７０の左右両端に連結されている。側面貼付部６０の表面は、光反射性を有する。詳細には、後方被覆部６２の表面の一部に反射材６６が取り付けられるとともに、側方被覆部６４の表面の一部に反射材６８が取り付けられている。側方被覆部６４の一端部には、穴部６９が形成されている。穴部６９は、後述する固定部材８０のフック８２が係合される部分である。
【００４０】
底面貼付部７０の表面は、防滑性を有する。詳細には、底面貼付部７０の表面の一部に、多数の突起７２を形成することにより滑り止め加工が施されている。これにより、底面貼付部７０の表面は、側面貼付部６０の表面よりも高い防滑性を有する。各シール片２ａ，２ｂのその他の構成は、履物用シール１と同様である。
【００４１】
図６は、履物用シール２の履物への貼付の仕方を説明するための図である。同図に示すように、履物用シール２を履物９０に貼付するときは、シール片２ａを適当な位置で折り曲げることにより、前方被覆部４２及び側方被覆部４４が底面貼付部５０に対して起きた状態とする。同様に、シール片２ｂを適当な位置で折り曲げることにより、後方被覆部６２及び側方被覆部６４が底面貼付部７０に対して起きた状態とする。そして、シール片２ａの底面貼付部５０を爪先部９２の底面９６に貼付するとともに、前方被覆部４２及び側方被覆部４４を爪先部９２の側面９４に貼付する。同様に、シール片２ｂの底面貼付部７０を踵部９３の底面９７に貼付するとともに、後方被覆部６２及び側方被覆部６４を踵部９３の側面９５に貼付する。これにより、図７に示すように、履物用シール２が貼付された履物９０が得られる。
【００４２】
さらに、履物用シール２は、固定部材８０を備えている。固定部材８０は、シール片２ａとシール片２ｂとを連結することにより、これらのシール片２ａ，２ｂを互いに固定する。固定部材８０は、伸縮性を有することが好ましい。固定部材８０としては、例えばゴムバンドを用いることができる。固定部材８０の両端には、フック８２が接続されている。一方のフック８２はシール片２ａの穴部４９に係合され、他方のフック８２はシール片２ｂの穴部６９に係合される。なお、図７においては１つの固定部材８０のみが示されているが、実際には、もう１つの固定部材８０が設けられており、履物９０の向こう側においても同様にして２つのシール片２ａ，２ｂが連結される。
【００４３】
本実施形態の効果を説明する。履物用シール２は、履物９０の側面から底面にかけて貼付される。このため、側面と底面との境界部分が、履物用シール２により覆われる。この境界部分は、履物９０において特に汚損しやすい部分である。したがって、履物用シール２を貼付することにより、履物９０の汚損を効果的に防止することができる。
【００４４】
履物用シール２は、シール片２ａ，２ｂを備えている。これにより、履物９０の爪先部９２及び踵部９３の双方に履物用シール２が貼付されるため、履物９０の汚損をより効果的に防止することができる。ただし、履物用シール２は、シール片２ａ，２ｂのうち何れか一方のみを備えていてもよい。
【００４５】
シール片２ａ，２ｂは、固定部材８０によって互いに固定されている。これにより、ユーザの意思に反して履物用シール２が履物９０から剥がれてしまうのを防ぐことができる。特に固定部材８０が伸縮性を有する場合、その収縮力によりシール片２ａ，２ｂどうしをより強固に固定することができる。本実施形態のその他の効果は、第１実施形態について説明したとおりである。
【００４６】
本発明による履物用シール及び履物は、上記実施形態に限定されるものではなく、様々な変形が可能である。上記実施形態においては、側面貼付部１０の表面が光反射性を有する例を示した。しかし、側面貼付部１０の表面は、蛍光性を有していてもよい。その場合も、履物用シール１ひいてはそれが貼付された履物９０の視認性を高めることができる。また、側面貼付部１０の表面は、蓄光性を有していてもよい。その場合、暗所においても、履物用シール１及び履物９０を視認しやすくなる。側面貼付部４０及び側面貼付部６０についても同様である。
【００４７】
上記実施形態においては、履物用シールが履物の爪先部又は踵部に貼付される例を示した。しかし、履物用シールは、履物の側面から底面にかけて貼付される限り、爪先部又は踵部以外の部位に貼付されてもよい。
【００４８】
上記実施形態においては、側面貼付部１０が前方被覆部１２及び側方被覆部１４からなる例を示した。しかし、側面貼付部１０は、図８に示すように、前方被覆部１２のみからなっていてもよい。あるいは、側面貼付部１０は、図９に示すように、側方被覆部１４のみからなっていてもよい。また、側方被覆部１４は、底面貼付部２０の左右両端のうち何れか一方にのみ設けられていてもよい。側面貼付部４０及び側面貼付部６０についても同様である。
【符号の説明】
【００４９】
１  履物用シール
２  履物用シール
２ａ  シール片（第１のシール片）
２ｂ  シール片（第２のシール片）
１０  側面貼付部（第１の部分）
１２  前方被覆部
１４  側方被覆部
１６  反射材
１８  反射材
２０  底面貼付部（第２の部分）
２２  突起
３２  基材部
３４  粘着部
４０  側面貼付部（第１の部分）
４２  前方被覆部
４４  側方被覆部
４６  反射材
４８  反射材
４９  穴部
５０  底面貼付部（第２の部分）
５２  突起
６０  側面貼付部（第１の部分）
６２  後方被覆部
６４  側方被覆部
６６  反射材
６８  反射材
６９  穴部
７０  底面貼付部（第２の部分）
７２  突起
８０  固定部材
８２  フック
９０  靴
９２  爪先部
９３  踵部
９４  （爪先部の）側面
９５  （踵部の）側面
９６  （爪先部の）底面
９７  （踵部の）底面
【図１】
2016049166.tif 000003
【図２】
2016049166.tif 000004
【図３】
2016049166.tif 000005
【図４】
2016049166.tif 000006
【図５】
2016049166.tif 000007
【図６】
2016049166.tif 000008
【図７】
2016049166.tif 000009
【図８】
2016049166.tif 000010
【図９】
2016049166.tif 000011